(57)【特許請求の範囲】
【請求項１】
ボトルケースの内法に対応する方形状の１枚の段ボール紙の辺縁に、前記ボトルケースの側壁部に形成された把手用開口部に挿入可能な耳部を形成すると共に、該耳部を前記段ボール紙の芯材の並び方向側に形成し、かつ、前記耳部を前記把手用開口部に差し込むときに可撓性を保有させるための手段を、前記耳部の根元よりそれぞれ中央部に向かって内方側へ傾斜しかつ交叉する不連続線からなる切込線によって形成したことを特徴とするボトルケース用カバー。
【請求項２】
ボトルケースの内法に対応する方形状の１枚のボール紙または段ボール紙等の厚紙シートの辺縁に、前記ボトルケースの側壁部に形成された把手用開口部の上端内面に前記厚紙シートの上面側で当接可能な耳部を形成すると共に、該耳部を前記把手用開口部に差し込むときに可撓性を保有させるための手段を、前記耳部の根元よりそれぞれ中央部に向かって傾斜しかつ交叉する不連続線からなる切込線によって形成したことを特徴とするボトルケース用カバー。
【請求項３】
前記耳部の可撓性を保有させるための手段を、前記耳部の根元よりそれぞれ中央部に向かって傾斜しかつ交叉する不連続線からなる切込線と、前記交叉する切込線と耳部の辺縁との間に形成した切込線とにより構成し、前記耳部を山形に折り曲げできるように形成したことを特徴とする請求項１に記載のボトルケース用カバー。
【請求項４】
前記耳部の可撓性を保有させるための手段を、前記耳部の根元よりそれぞれ中央部に向かって傾斜しかつ交叉する不連続線からなる切込線と、前記交叉する切込線と耳部の辺縁との間に形成した切込線とにより構成し、前記耳部を山形に折り曲げできるように形成したことを特徴とする請求項２に記載のボトルケース用カバー。
【請求項５】
前記厚紙シートの略中央部に指先を挿入可能な透孔を穿設したことを特徴とする請求項２または４に記載のボトルケース用カバー。
【請求項６】
前記耳部の略中央部辺縁に指先を引掛け得る半円形の切欠部を形成したことを特徴とする請求項１〜５のいずれかに記載のボトルケース用カバー。
【請求項７】
前記耳部の根元に切欠部を形成したことを特徴とする請求項１〜６のいずれかに記載のボトルケース用カバー。
【請求項８】
耳部の可撓性を保有させるための手段として、さらに前記耳部の辺縁付近に形成された折り曲げ線によって構成したことを特徴とする請求項１〜７のいずれかに記載のボトルケース用カバー。
【発明の詳細な説明】
【０００１】
【発明の属する技術分野】
本発明は、清涼飲料、ジュース、ビール、清酒等の飲料ボトルの複数本をまとめて搬送する合成樹脂製ボトルケースの上面を覆う紙製カバーに関する。更に詳しくは、ボトルケース内上方に端数の飲料ボトルを載せて搬送・配達する際に、上部のボトルが下部のボトルのキャップ・王冠に当たり、内容物の変質の原因となる打傷の発生を防止し、キャップ・王冠の保護を図るボトルケース用カバーに関する。
【０００２】
【従来の技術】
清涼飲料、ジュース、ビール、清酒等の飲料ボトルを搬送・配達する場合、ボトルケース単位で行われるほか、端数の飲料ボトル製品の搬送・配達が組み合わさった場合、ボトルケース内上部に端数の飲料ボトルを載せて搬送・配達することがある。その際、上部に載せるボトルがケース内に収納されたボトルのキャップ・王冠に当ったり、搬送途中に上部に載せたボトルが転動してボトルケース内のボトルのキャップ・王冠に当たって打傷を生じ、それが原因となって内容物の変質をきたすことがあった。
【０００３】
そこで、従来、図５に展開図を示すような段ボール紙製の被せ蓋１をトレー状に組み立て、これを図６に示すボトルケース２の内方に上方から差し込んで、該ケース２に収納した飲料ボトル３とその上部に載せられる端数の飲料ボトル４の接触を防止するようにしていた。
【０００４】
前記被せ蓋１は、図５に示すように、ボトルケース２の内法に対応する方形の天蓋体１ａの長辺及び短辺それぞれに、折り曲げ線１ｇ，１ｈを介在して連設する側面壁１ｂ，１ｃと、側面壁１ｃの両側に形成された糊代１ｄと、糊代１ｄの反対側に斜めに形成された折り曲げ線１ｅと、側面壁１ｂの端縁に形成された切欠部１ｆとからなり、糊代１ｄを側面壁１ｂに接着してトレー形状にした後、折り曲げ線１ｇ，１ｇ、及び折り曲げ線１ｅ，１ｅを内方に折り曲げると側面壁１ｃ，１ｃが台形となり、かくして、全体として変則八角形となって偏平に折り畳まれ、この状態で出荷されて需要者に提供されるというものであった。
【０００５】
切欠部１ｆは、ボトルケース２の内部を縦横に仕切る仕切壁５，６で形成される升目に飲料ボトル３をそれぞれ収納するようにした仕切壁５に対応して形成されるものである。なお、側面壁１ｃ，１ｃには切欠部１ｆが形成されていないが、これは、図６に示すように、仕切壁５，６の交叉部分が山形に形成されており、ボトルケース２の短辺側の側壁を結ぶ仕切壁６が長辺側の側壁を結ぶ仕切壁５よりも低い高さに形成されている為である。なお、８は段ボール紙の波形芯材の並び方向を示す。
【０００６】
そして、前記被せ蓋１をボトルケース２に装着する場合は、折り畳まれた側面壁１ｂ，１ｂを引き起こし、同時に、引き起こされる側面壁１ｃ，１ｃを持ちながら、若しくは、台形状の側面壁１ｃ，１ｃを内方へ押して起こして全体をトレー状とした状態で、これをボトルケース２の上方から冠し、図６に示すように、切欠部１ｆがボトルケース内の仕切壁５にそれぞれ対応して当接するまで差し込むものであった。
【０００７】
【発明が解決しようとする課題】
しかしながら、上記被せ蓋１は、折り畳まれて偏平にしたものをトレー状にする作業を要するとともに、そのトレー状のものをボトルケース２の内方に装着する作業が必要である。とりわけ、トレー状にしたものをボトルケース２の内方に装着する作業は、ボトルケース２の内側壁に沿って長辺側及び短辺側の側面壁１ｂ，１ｃをそれぞれ差し込むとともに、切欠部１ｆを仕切壁５に係合させなければならないために、時間と手間を要して面倒であった。
【０００８】
しかも、段ボール紙等の厚紙シートを用いてトレー状に組み立て得る函体を製造するもの、即ち、前述のように、図５展開図に基づき打ち抜き、四隅を貼合わせて、一旦トレー状とした後、偏平状にして納入するために、更に、折り曲げ線１ｇ，１ｇ及び１ｅ，１ｅを山折りして折り畳む工程を必要とするものであるから、コストが高価となる不都合がった。
【０００９】
そこで、本発明は上記事情に鑑みて、トレー状に組み立てる必要がなく、しかも、装着がきわめて簡便迅速かつ容易にできるボトルケース用カバーを提供するものである。
【００１０】
【課題を解決するための手段】
本発明にかかるボトルケース用カバーは、請求項１に記載したように、ボトルケースの内法に対応する方形状の１枚の段ボール紙の辺縁に、前記ボトルケースの側壁部に形成された把手用開口部に挿入可能な耳部を形成すると共に、該耳部を前記段ボール紙の芯材の並び方向側に形成し、かつ、前記耳部を前記把手用開口部に差し込むときに可撓性を保有させるための手段を、前記耳部の根元よりそれぞれ中央部に向かって内方側へ傾斜しかつ交叉する不連続線からなる切込線によって形成したことを特徴とする。
【００１１】
請求項２に記載した発明は、ボトルケースの内法に対応する方形状の１枚のボール紙または段ボール紙等の厚紙シートの辺縁に、前記ボトルケースの側壁部に形成された把手用開口部の上端内面に前記厚紙シートの上面側で当接可能な耳部を形成すると共に、該耳部を前記把手用開口部に差し込むときに可撓性を保有させるための手段を、前記耳部の根元よりそれぞれ中央部に向かって傾斜しかつ交叉する不連続線からなる切込線によって形成したことを特徴としている。
【００１２】
請求項３に記載の発明は、前記耳部の可撓性を保有させるための手段を、前記耳部の根元よりそれぞれ中央部に向かって傾斜しかつ交叉する不連続線からなる切込線と、前記交叉する切込線と耳部の辺縁との間に形成した切込線とにより構成し、前記耳部を山形に折り曲げできるように形成したことを特徴としている。
請求項４に記載の発明は、前記厚紙シートの略中央部に指先を挿入可能な透孔を穿設したことを特徴としている。
請求項５に記載の発明は、前記耳部の略中央部辺縁に指先を引掛け得る半円形の切欠部を形成したことを特徴としている。
請求項６に記載の発明は、前記耳部の根元に切欠部を形成したことを特徴としている。
請求項７に記載の発明は、耳部の可撓性を保有させるための手段として、さらに前記耳部の辺縁付近に形成された折り曲げ線によって構成したことを特徴としている。
【００１３】
そして、このボトルケース用カバーを持って、先ず、斜めに一方の耳部をボトルケースの一方の把手用開口部に差込み、ついで、他方の耳部を押し下げるか、若しくは耳部の切込線に沿って山形に撓ませて他方の把手用開口部に嵌め込めば、カバーはボトルケースの上面にロックされた状態で装着されることになる。
【００１４】
【発明の実施の形態】
以下本発明の実施の形態を図に基づき説明する。図１，２に示すように、ボトルケース２に収納した飲料ボトル３の上部にカバー１０が載置され、このカバー１０の上面に、必要により、端数の飲料ボトル４が載置される。したがって、飲料ボトル４と飲料ボトル３はカバー１０によって遮断されて互いに接触することはない。
【００１５】
このカバー１０は方形で１枚のボール紙又は段ボール紙等の厚紙シートからなり、かつ、ボトルケース２に形成された把手用開口部７に挿入する耳部１１を有し、この耳部１１が把手用開口部７の上面側に当接することによりボトルケース２から脱落しないように装着されている。
【００１６】
そこで、カバー１０を詳細に説明すると、ボトルケース２の内法とほぼ一致する矩形のボール紙又は段ボール紙等の厚紙シートであって、四隅部をボトルケース２の内法に適合するように円みを持たせてアール仕上げをし、また、略中心部に指先を挿入できる孔１２が穿設されている。
【００１７】
耳部１１は、前記厚紙シートの辺縁に把手用開口部７の長さ寸法Ｌと幅Ｗに相当する張出部を長辺側でそれぞれ一体形成したもので、把手用開口部７がボトルケース２の四辺の短辺側の側壁に開設されていれば、短辺部にも同じように形成してもよく、その基部に凹部からなる切欠部１３，１３が形成されている。耳部１１の内方側にはミシン目等の切込線１４が形成され、これにより耳部１１は可撓性を保有することができる。なお、耳部１１は、厚紙シートが段ボール紙であって、耳部がシートの長辺側に設けられるときは、図３に示すように、波形芯材の並び方向８側に形成される。これは、波形芯材の方向性が逆であれば、可撓性が損なわれるからである。
【００１８】
切込線１４は切欠部１３から厚紙シートの内方側へ所定の角度で傾斜して互いに交叉する山形に形成されており、したがって、耳部１１をボトルケース２の把手用開口部７に挿入するとき、一方の耳部１１を把手用開口部７に差し込んで他方の耳部１１を他の把手用開口部７に挿入する際、その耳部１１を切込線１４に沿って曲げ撓ませると、耳部１１の端部が把手用開口部７に嵌合できるようになる。
【００１９】
なお、図３，４に示すように、切込線１４はミシン目でなく、直線とこれに直交する直線との結合からなる山形の切込線１５と、Ｈ字形の切込み線１６と、Ｉ字形の切込線１７とを不連続で山形状に形成するとともに、切込線１５と耳部１１の辺縁との間にＩ字形の切込線１８を形成することにより、耳部１１を山形状に折り曲げることができるようにしてもよい。
【００２０】
また、耳部１１の先端部から所定幅の内側に折り曲げ線１９を形成することにより、耳部１１の先端部付近を折り曲げることができるようにし、これにより、前記切込線１４〜１８を利用することなく耳部１１を把手用開口部７へ挿入することができるようにしてもよい。
【００２１】
さらには、カバー１０をボトルケース２から除去するときに耳部１１の略中央部辺縁に指先を引掛けることができるように、半円形の切欠部２０を辺縁に形成してもよい。
【００２２】
そこで、このカバー１０をボトルケース２に装着するときは、一方の耳部１１を一方の把手用開口部７に挿入してボトルケース２の上方からボトル３の上部に載せ、ついで、他方の耳部１１を他方の把手用開口部７に挿入すればよいのだが、この場合、その耳部１１間の寸法はボトルケース２の内法寸法よりも大きいので、そのままではボトルケース２に嵌まり込むことができず、したがって、他方の把手用開口部７に挿入することはできない。
【００２３】
そのため、その耳部１１を切込線１４を介して把手用開口部７側へ湾曲させて撓ませ、又は、斜め上又は下方へ山形に折り曲げるようにしてその辺縁がボトルケース２内に嵌まり込むようにする。このとき耳部１１の根元にある切欠部１３，１３が形成されているので折り曲げ容易となる。
【００２４】
さらに、耳部１１の辺縁付近にある折り曲げ線１９を折り曲げるだけで耳部１１が把手用開口部７に挿入できれば切込み線１４を利用することはない。なお、切込線１５〜１８を利用すれば、耳部１１を斜め上下いずれかへ山形に折り曲げることができる。
【００２５】
なお、瓶高が既定のものよりも低い場合も、把手用開口部７に耳部１１を差し込んでおけば、輸送時の振動や風等でカバー１０が脱落することを防ぐことができる。
【００２６】
そして、搬送・配達を終えてボトルケース２からボトル３を取り出すべきときは、孔１２に指先を挿入してカバー１０を上方へ引き、両方の耳部１１を把手用開口部７から共に引き出して除去する。このとき、耳部１１が把手用開口部７から容易に引き抜けないときは、切欠部２０付近に指先をあて、下方に押し込んで耳部を撓ませて生じた隙間から指を差込み、切欠部２０に指先を引掛けて耳部１１を強制的に引き出すことができる。
【００２７】
【実施例】
なお、図３，４は本発明の実施例である。図において各部の数字は寸法（ｍｍ）を表す。カバー１０の縦長寸法Ａは３７６ｍｍ、横幅寸法Ｂは２５４ｍｍ、耳部１１間の最大寸法Ｃは２８０ｍｍ、切欠部１３，１３を含む耳部１１の長さＬは１１６ｍｍ、耳部１１の張出し寸法Ｄは１０ｍｍである。因みに、ボトルケース２の内法長さは３８０ｍｍ、内法幅は２５５ｍｍ、高さ２４０ｍｍである。また、ボトル３の高さと把手用開口部７の上端の位置がほぼ一致しており、この場合、カバー１０は確実にロックされる。
【００２８】
【発明の効果】
以上説明したこの発明によれば、ボトルケースの内法に対応する方形状の１枚のボール紙または段ボール紙等の厚紙シートの辺縁に、前記ボトルケースの側壁部に形成した把手用開口部に挿入可能な耳部を形成してなるカバーをボトルケースに冠し、耳部を把手用開口部に挿入して固定することとしたので、搬送・配達のために端数のボトルをボトルケースに収納する必要性があるときは、ボトルをカバーの上に載置することにより、ボトルどうしの接触がなく、したがって、端数のボトルがボトルケース内のボトルのキャップ・王冠に当ったり、搬送途中に端数のボトルが転動してキャップ・王冠に当たって打傷を生じ、それが原因となって内容物の変質をきたすことを防止できる。
【００２９】
さらに、１枚のボール紙または段ボール紙等の厚紙シートに耳部を形成しただけの構成で函体としないものであるから、コスト安価に提供できる。
【図面の簡単な説明】
【図１】本発明の実施の形態を示す平面図
【図２】図１の正面図
【図３】本発明の実施例を示す平面図
【図４】図３の円内拡大部分図
【図５】従来例の展開図
【図６】従来例の使用状態における正面図
【符号の説明】
１０…カバー
１１…耳部
１２…孔
１３…切欠部
１４〜１８…切込線
１９…折り曲げ線
２０…切欠部
【図１】
0003833740.tif 000002
【図２】
0003833740.tif 000003
【図３】
0003833740.tif 000004
【図４】
0003833740.tif 000005
【図５】
0003833740.tif 000006
【図６】
0003833740.tif 000007